【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
スラットを巻き取るシャッター軸を支えるシャッターケースブラケットの摩耗を防止する摩耗防止装置であって、
前記シャッターケースブラケットに固定された第１の板状部材と、
中心を前記シャッター軸が通り、横ずれした前記スラットを支える第２の板状部材と、
前記第２の板状部材を前記第１の板状部材に対して回転可能に支持する第１のベアリングと、を備えた摩耗防止装置。
【請求項２】
請求項１記載の摩耗防止装置において、
前記第１の板状部材に対して押圧力を与える前記第２の板状部材を回転可能に支持する第２のベアリングを更に備えた摩耗防止装置。
【請求項３】
請求項１又は２記載の摩耗防止装置において、
前記第１の板状部材及び前記第２の板状部材が、それぞれ２分割されており、
２分割された前記第１の板状部材及び２分割された前記第２の板状部材は、それぞれ少なくとも一方が開閉可能に構成された留め具により一体的に形成される摩耗防止装置。
【請求項４】
スラットと、
前記スラットを巻き取るシャッター軸と、
前記シャッター軸を支えるシャッターケースブラケットと、
前記シャッターケースブラケットに固定された第１の板状部材と、
中心を前記シャッター軸が通り、横ずれした前記スラットを支える第２の板状部材と、
前記第２の板状部材を前記第１の板状部材に対して回転可能に支持するベアリングと、を備えたシャッター装置。
【請求項５】
スラットと、
前記スラットを巻き取るシャッター軸と、
前記シャッター軸を支えるシャッターケースブラケットと、
中心を前記シャッター軸が通り、横ずれした前記スラットを支える板状部材と、を備えたシャッター装置。
【手続補正２】
【補正対象書類名】明細書
【補正対象項目名】全文
【補正方法】変更
【補正の内容】
【発明の詳細な説明】
【発明の名称】シャッター装置及び摩耗防止装置
【技術分野】
【０００１】
本発明は、シャッター装置及び摩耗防止装置に関する。
【背景技術】
【０００２】
図５の（ａ）に示すように、従来のシャッター開閉体１０２はプーリ１０４に支持されると共にシャッター軸１０３に巻き取り・繰り出し可能に構成されている。シャッター軸１０３はシャッター軸支持部材１１０ｂによって支持されている。
また、図５の（ｂ）に示すように、シャッター開閉体１０２は係止板１１３上を横すべりして横方向にズレが発生することがある。このとき、シャッター開閉体１０２はシャッターケースブラケット１１０に接触して、シャッターケースブラケット１１０に損傷が生じて、次第に摩耗が進み、やがてはシャッター開閉体１０２がシャッター軸１０３ごと落下してしまう可能性があった。
【０００３】
従来、シャッター装置ではシャッターケースの左右に形成されたブラケットに軸受けを設け、この軸受けにシャッターシャフトを乗せている。さらに、このシャッターシャフトに巻き付けられたコイル状のスプリングの反発力でスラットを連結して構成されたシャッター開閉体が軽く上下して開閉するようになっている。この開閉操作時には通常、シャッター開閉体が片方に寄ることがあり、シャッター開閉体がシャッターケースに接触して、シャッターケースには次第に摩耗が進み、やがて、シャッター開閉体がシャフトごと落下してしまう可能性があった。これは非常に危険であり、定期的な点検や老朽化による交換などを行えば良いが、殆どの利用者は動かなくなるまで使い放題であるのが現状のようである。たまたまの点検時に落下寸前の状態に気付くことが多々あった。
これは、先ず、シャッターは上から吊ったものである。そして、施工時における水平出し、シャッターケースを固定する吊ボルトの止め位置や吊り自体の寄り、および左右スプリングのへたりなどが原因である。
また、どうしても土間の傾きなどがあるが、顧客からは、土間とシャッターとの間に隙間があるとゴミや水が入ってくるのでその土間に密着させて欲しいとの要望もある。
また、開閉時に風によるスラットの片寄りが生じ、特に、手動式ではシャッターの下板孔にフック棒を引っ掛けて下げて閉めるが、殆どの人が真下ではなく、斜め下から引き下げている。また、シャッターがゴミや障害物に乗り上げたり、左右サイドレール自体の変形によって、スラットが傾くことがある。また、スラットとスラットをつなぐ渦巻き状のフックであるインターロックの微妙な変形や、スラットの爪の精度の甘さもありそれによって最終的にシャッターに傾き癖が付いてしまうことになる。
さらに、手動式や電動式などでも同じように、スラットのずれの調整や、隙間を多くとるなどスラットの爪自体の問題など、これらに起因する問題も多く、根本的な問題を解決しなければ、シャッター本体であるシャッター開閉体を構成するスラットがどうしても左右のいずれかにずれてしまっている。
これら不具合の現象としては、片方にずれた場合、ブラケットを擦り、開閉動作が重くなり、操作時にキーキー音が発生する。また、スラットの両端が擦れてやがて変形して、サイドレール、中柱、ブラケットなどに引っ掻き傷が入り、さらに、変形したスラットが鍵などのラッチ掛けやガイド口にも引っ掛かり、これに伴う故障が発生する可能性があり、最終的には、手動・自動を問わず開閉が非常に困難になる。
また、これを放置していると、地震などでシャッター全体または枠など一部が変形すると、シャッターの開閉ができなくなり、いざというときに脱出できないなど、命に関わることにもなり兼ねない。
【０００４】
図６は、従来の実施形態を示す概略図であり、（ａ）はシャッター巻取繰出装置の全体図、（ｂ）は（ａ）に示すＤ部の拡大図である。
図６の（ａ）（ｂ）に示すように、従来のシャッター巻取繰出装置１０１は、シャッター開閉体１０２の巻き取りおよび繰り出しのいずれかを行う際に、シャッター開閉体１０２を巻取・繰出する中心軸であるシャフト１０３に嵌着されて、シャフト１０３に対して回転自在に設けられた少なくとも２つのプーリ１０４と、少なくとも２つのプーリ１０４の回転を互いに追随および同期させるように、少なくとも２つのプーリ１０４間に掛け渡された少なくとも１本のリンク棒１０５と、プーリ１０４がシャフト１０３の軸方向へ摺動するのを阻止するようにシャフト１０３に固定されたストッパー１０６と、ストッパー１０６とプーリ１０４との間のシャフト１０３の表面に設けられたプーリ摺動領域１０３ａとを備えている。リンク棒１０５は、互いに摺動可能な内筒と外筒を備えた筒状になっており、長手方向へ伸縮可能に形成されたリンク棒であり、内筒と外筒とが互いに摺動するスライド機構を備えている。
また、ストッパー１０６は、シャフト１０３に嵌着されたストッパーであり、このストッパー１０６と同軸で設けられてシャフト方向の荷重を支持するスラスト耐荷重機構を備え、スラスト耐荷重機構は、スラストベアリングを備えている。
プーリ１０３の中心に設けられた中心軸孔とシャフト周縁とを覆ったグリスカップ１１４と、グリスカップ内に充填されたグリスとを備え、プーリ１０４とシャフト１０３との摩擦を軽減するように設けられたグリスカップ構造を備えている。
このように、ストッパーとプーリとの間にプーリ摺動領域を設けることによって、従来、シャフトの一か所に集中していた摩耗を分散させて、破断を防止することができる。また、グリスが摺動領域に万遍なく刷り込まれるために摩耗をさらに低減することができる（特許文献１参照）。
【先行技術文献】
【特許文献】
【０００５】
【特許文献１】特開２０１４−１３２１３８号公報
【発明の概要】
【発明が解決しようとする課題】
【０００６】
しかしながら、シャッター開閉体の巻き取り・繰り出し時にスラットのずれによってシャッター開閉体とシャッターケースブラケットとの間に接触が発生し、シャッターケースが摩耗することがあった。
本願発明は、スラットのずれによって生じるシャッターケースの摩耗を防止するシャッター装置及び摩耗防止装置を提供することを目的としている。
【課題を解決するための手段】
【０００７】
請求項１に記載の発明は、スラットを巻き取るシャッター軸を支えるシャッターケースブラケットの摩耗を防止する摩耗防止装置であって、前記シャッターケースブラケットに固定された第１の板状部材と、中心を前記シャッター軸が通り、横ずれした前記スラットを支える第２の板状部材と、前記第２の板状部材を前記第１の板状部材に対して回転可能に支持する第１のベアリングと、を備えた摩耗防止装置である。
【０００８】
請求項２に記載の発明は、請求項１に記載の摩耗防止装置において、前記第１の板状部材に対して押圧力を与える前記第２の板状部材を回転可能に支持する第２のベアリングを更に備えている。
【０００９】
請求項３に記載の発明は、請求項１又は２に記載の摩耗防止装置において、前記第１の板状部材及び前記第２の板状部材が、それぞれ２分割されており、２分割された前記第１の板状部材及び２分割された前記第２の板状部材は、それぞれ少なくとも一方が開閉可能に構成された留め具により一体的に形成される。
【００１０】
請求項４に記載の発明は、スラットと、前記スラットを巻き取るシャッター軸と、前記シャッター軸を支えるシャッターケースブラケットと、前記シャッターケースブラケットに固定された第１の板状部材と、中心を前記シャッター軸が通り、横ずれした前記スラットを支える第２の板状部材と、前記第２の板状部材を前記第１の板状部材に対して回転可能に支持するベアリングと、を備えたシャッター装置である。
【００１１】
請求項５に記載の発明は、スラットと、前記スラットを巻き取るシャッター軸と、前記シャッター軸を支えるシャッターケースブラケットと、中心を前記シャッター軸が通り、横ずれした前記スラットを支える板状部材と、を備えたシャッター装置である。
【発明の効果】
【００１２】
本発明によれば、シャッター開閉体自体がシャッターケースブラケットに当接することがなく、シャッターケースを保護することができる。
【図面の簡単な説明】
【００１３】
【図１】本発明の実施形態に係るシャッターケース摩耗防止装置の概略図であり、（ａ）は正面図、（ｂ）は（ａ）に示すＡ―Ａ´線に沿った断面図、（ｃ）は（ａ）に示すＢ部の拡大図である。
【図２】本発明の実施形態に係るシャッターケース摩耗防止装置の概略を示し、（ａ）は図１の（ｂ）に示す断面図の部分詳細図、（ｂ）は（ａ）に示すスラストベアリングの正面図である。
【図３】本発明の実施形態に係るシャッターケース摩耗防止装置の周辺部を示し、（ａ）はシャッター装置の全体断面図、（ｂ）は（ａ）に示すＣ部の拡大断面図である。
【図４】本発明の実施形態に係るシャッターケース摩耗防止装置の動作を示し、（ａ）は初期状態を示す説明図、（ｂ）はシャッターズレした状態でのシャッター摩耗防止装置の作用を示す説明図である。
【図５】従来の実施形態に係るシャッター装置の動作を示し、（ａ）はシャッター装置の初期状態を示す説明図、（ｂ）はシャッターズレした状態でのシャッター装置を示す説明図である。
【図６】従来の実施形態を示す概略図であり、（ａ）はシャッター巻取繰出装置の全体図、（ｂ）は（ａ）に示すＤ部の拡大図である。
【発明を実施するための形態】
【００１４】
以下、本発明の実施形態を図面を参照しながら詳細に説明する。
図１は、本発明の実施形態に係るシャッターケース摩耗防止装置の概略図であり、（ａ）は正面図、（ｂ）は（ａ）に示すＡ―Ａ´線に沿った断面図、（ｃ）は（ａ）に示すＢ部の拡大図である。
図２は、本発明の実施形態に係るシャッターケース摩耗防止装置の概略を示し、（ａ）は図１の（ｂ）に示す断面図の部分詳細図、（ｂ）は（ａ）に示すスラストベアリングの正面図である。
図３は、本発明の実施形態に係るシャッターケース摩耗防止装置の周辺部を示し、（ａ）はシャッター装置の全体断面図、（ｂ）は（ａ）に示すＣ部の拡大断面図である。
図１の（ａ）（ｂ）（ｃ）、図２の（ａ）（ｂ）、および図３の（ａ）（ｂ）に示すように、シャッターケース摩耗防止装置１は、シャッター開閉体２の巻取・繰出時に横ずれするスラット２ａと、このスラット２ａを巻き取るシャッター軸３と、シャッター軸３の荷重を支持するシャッターケースブラケット１０と、を備えたシャッター装置に設けられ、スラット２ａとシャッターケースブラケット１０との間に介在させて、シャッターケースブラケット１０の摩耗を防止する。
【００１５】
そして、シャッターケース摩耗防止装置１は、中心に第１の軸孔１ａａを有する第１の板状部材１ａと、同様に中心に第２の軸孔１ｂａを有する第２の板状部材１ｂと、第１の板状部材１ａに設けられた少なくとも３個の球状ベアリング１ａｂとを備え、第１の軸孔１ａａと第２の軸孔１ｂａはシャッター軸３に挿通されており、第１の板状部材１ａと第２の板状部材１ｂとは、球状ベアリング１ａｂを介して互いに転動する。
なお、球状ベアリング１ａｂは５個備えるとさらにバランスが良い。
また、第１の板状部材１ａと第２の板状部材１ｂとの間には、シャッター軸３に挿通され、第１の板状部材１ａが負荷する第２の板状部材１ｂからの押圧力を回転自在に支持するスラストベアリング１ｃを備えている。
【００１６】
また、第１の板状部材１ａはシャッターケースブラケット１０に固定され、第２の板状部材１ｂは第１の板状部材１ａに対して転動可能に設けられている。
また、第１の板状部材１ａおよび第２の板状部材１ｂはそれぞれ円状部材であり、それぞれ２分割されており、２分割された第１の板状部材１ａおよび２分割された第２の板状部材１ｂは半円状部材１ａｃ、１ａｄ、１ｂｃ、１ｂｄから構成されている。そして半円状部材から構成される円状部材のそれぞれ少なくとも一方が開閉可能に構成された留め具１ａｃａ、１ａｃｂ、１ｂｃａ、１ｂｃｂにより一体的に形成される。固定部材１ｄは、第１の板状部材１ａの表面にねじ止めでも構わないが溶接などの手段で固定されている。この固定部材１ｄをシャッターケースブラケット１０にねじ止めでも構わないが溶接などの手段で固定する。
また、球状ベアリング１ａｂは玉１ｂｂをホルダー１ａｂａで保持し第１の板状部材１ａにねじ穴１ａｂｃを用いてねじ止めしている。溶接でも構わない。
【００１７】
これによって、スラット２ａの横ズレを第２の板状部材１ｂで支えることが可能となり、シャッター開閉体２自体がシャッターケースブラケット１０に当接することがなく、シャッターケース１２を保護することができる。
さらに、第１の板状部材１ａと第２の板状部材１ｂとの間には、シャッター軸３に挿通され、第１の板状部材１ｂが負荷する第２の板状部材１ｂからの押圧力を回転自在に支持するスラストベアリング１ｃを備えることによって、スラット２ａのズレを第２の板状部材１ｂで安定的に支えることが可能となり、シャッター開閉体２自体がシャッターケースブラケット１０に当接することがなく、シャッターケース１２を保護することができる。
また、第１の板状部材１ａおよび第２の板状部材１ｂは、例えば、円盤状の第１の板状部材および第２の板状部材をそれぞれ２分割することによって、既存のシャッター装置を分解および組立することなくシャッターケース摩耗防止装置１をシャッター装置に取り付けることができる。
なお、第１の板状部材１ａと第２の板状部材１ｂとの間には、シャッター軸３に挿通され、第１の板状部材１ａが負荷する第２の板状部材１ｂからの押圧力を回転自在に支持するスラストベアリング１ｃは、第１の板状部材１ａおよび第２の板状部材１ｂとは溶接などによって一体的に形成され、取り扱い容易なシャッターケース摩耗防止装置１とすることができる。
【００１８】
次に、本実施形態に係るシャッターケース摩耗防止装置の動作を説明する。
図４は、本発明の実施形態に係るシャッターケース摩耗防止装置の動作を示し、（ａ）は初期状態を示す説明図、（ｂ）はシャッターズレした状態でのシャッター摩耗防止装置の作用を示す説明図である。
図５は、従来の実施形態に係るシャッター装置の動作を示し、（ａ）はシャッター装置の初期状態を示す説明図、（ｂ）はシャッターズレした状態でのシャッター装置を示す説明図である。
図４の（ａ）に示すように、シャッター開閉体２がプーリ４に支持されると共にシャッター軸３に巻き取り・繰り出し可能に構成されている。シャッター軸３はシャッター軸支持部材１０ｂによって支持されている。
また、図４の（ｂ）に示すように、シャッター開閉体２は係止板１３上を横すべりして横方向にズレが発生することがある。しかし、シャッター開閉体２はシャッターケース摩耗防止装置の第２の板状部材１ｂによって横方向の移動を阻止されると共に、第１の板状部材１ａに設けられた球状ベアリング１ａｂを介してシャッター開閉体２と共に回転する。これによって、シャッターケースブラケット１０が摩耗することなく、シャッター開閉体２の巻き取り・繰り出しがスムーズに行われる。
【００１９】
以上、好ましい実施の形態を説明したが、本発明は前記実施の形態に限定されるものではなく、本発明の要旨を逸脱することの無い範囲内において適宜変更が可能なものである。例えば、本実施形態では摩耗防止装置に第１の板状部材と第２の板状部材を転動可能に支持するベアリングとして球状ベアリングを用いたがローラ状ベアリングでも構わない。さらに、低摩擦係数の樹脂材を用いても構わない。
また、第１の板状部材と第２の板状部材を接合させるために用いたスラストベアリングは玉を用いたものでも、ローラを用いたものでもその他のスラストベアリングでも構わない。
【符号の説明】
【００２０】
１  シャッターケース摩耗防止装置
１ａ  第1の板状部材、固定板
１ａａ  第１の軸孔
１ａｂ  球状ベアリング
１ｂ  第２の板状部材、回転板
１ｂａ  第２の軸孔
１ｃ  スラストベアリング
１ｄ  支持部材、固定部材
２  シャッター開閉体
２ａ  スラット
３  シャッター軸
４  プーリ
５  リンク棒
６  ストッパ
７  スプリング
７ａ  バネ端末固定具
９  ストッパーピン
１０  シャッターケースブラケット
１０ｂ  シャッター軸支持部材
１２  シャッターケース
１３  係止板
１４  グリスカップ
１５  マグサ
５０  シャッター装置